(57)【要約】  本発明は、シンク台取付型食器洗浄装置に関し、より詳細には、既存のシンク台に簡単に取り付けて使用することができるシンク台取付型食器洗浄装置に関する。  本発明によるシンク台取付型食器洗浄装置は、流し１０の底部に装着された排水筒体１５と、この排水筒体１５の上部に装着されて排水筒体１５を開閉するキャップ２０と、前記排水筒体１５の外周面に着脱自在に結合され、内部に１次側コイル２５が収容されるハウジング３０と、前記キャップ２０の内部に気密収容され、周縁面に２次側コイル３５が巻回されるコア４０と、前記キャップ２０の上部側に装着され、キャップ２０の内部で２次側コイル３５と接続され２次側コイル３５で発生する誘導起電流によって作動する超音波振動子４５と、前記１次側コイル２５に接続され、別に設けられる操作パネル５０の入力信号に従って１次側コイル２５に電源を印加する制御部６０とを備える。
2007529264.tif 000002
【特許請求の範囲】
【請求項１】
流し（１０）の底部に装着された排水筒体（１５）と;
この排水筒体（１２）の上部に装着されて排水筒体（１２）を開閉するキャップ（２０）と;
を備える通常のシンク台において、
前記排水筒体（１２）の外周面に着脱自在に結合され、内部に１次側コイル（２５）が収容されるハウジング（３０）と;
前記キャップ（２０）の内部に気密収容され、周縁面に２次側コイル（３５）が巻回されるコア（４０）と;
前記キャップ（２０）の上側に装着され、キャップ（２０）の内部で２次側コイル（３５）と接続されて２次側コイル（３５）で発生する誘導起電流によって作動する超音波振動子（４５）と;
前記１次側コイル（２５）に接続され、別に設けられる操作パネル（５０）の入力信号に従って１次側コイル（２５）に電源を印加する制御部（６０）と;
を備えて構成されており、
既存のシンク台の排水筒体（１５）に１次側コイル（２５）を内蔵するハウジング（３０）を嵌め込んで結合し、既存のキャップを２次側コイル（３５）が巻回されるコア（４０）を内蔵するキャップ（２０）に入れ替える簡単な作業により、既存のシンク台に食器洗浄機能を付与することができる
ことを特徴とするシンク台取付型食器洗浄装置。
【請求項２】
前記制御部（６０）と前記操作パネル（２０）には、それぞれＲＦ信号を送受信するＲＦモジュール（６５、７０）が備えられており、前記操作パネル（２０）から制御部（６０）に無線で信号を送信することによって、操作パネル（２０）の取付け位置を自由に選ぶことができる構造を有することを特徴とする請求項１に記載のシンク台取付型食器洗浄装置。
【発明の詳細な説明】
【技術分野】
【０００１】
本発明は、シンク台取付型食器洗浄装置に関し、より詳細には、既存のシンク台に簡単に取り付けて使用することができるシンク台取付型食器洗浄装置に関する。
【背景技術】
【０００２】
近年、貯水槽の底面に超音波振動子を装着し、超音波振動により貯水槽内部の洗浄水を振動させて食器を洗浄する食器洗浄器が開発された。このような超音波を利用する食器洗浄装置は、超音波振動子によって振動する水が食器を洗浄することになる。超音波振動を利用する食器洗浄器は、従来の洗浄水噴射方式の食器洗浄器に比べて異物除去効果が高いというメリットがあるものの、別の取付け空間を必要とし、且つ使用が不便であるという問題点があった。
【０００３】
このような食器洗浄器の問題点を解決するために、近来、シンク台の底部に超音波振動子を装着し、シンク台の一側に給排水パイプを備える食器洗浄器一体型シンク台が開発されている。このような食器洗浄器一体型シンク台は、食器洗浄器を設置するための別の空間が不要であるというメリットがあり、新築家屋で多く採用されている。
【０００４】
しかしながら、既存のシンク台を使用している家庭で上記食器洗浄器一体型シンク台を取り付けるためには、既存のシンク台を取り除いてから新たにシンク台を設置するといったシンク台入れ替え工事を行なわなければならない。これにより、シンク台を新たに購入する費用や、シンク台入れ替え工事を行なうことによる経済的負担が発生し、一般家庭にまで広く普及するには限界があった。また、故障していない既存のシンク台を取り除いて廃棄処理することは資源の無駄な浪費であるだけでなく、経済的な面でも非効率的であるという問題点がある。
【発明の開示】
【発明が解決しようとする課題】
【０００５】
そこで、本発明は上記従来の問題点に鑑みてなされたものであって、本発明の目的は、既存のシンク台に簡単に取り付けることができる構造を有しており、食器洗浄器を新たに購入したり、シンク台を入れ換えることによる経済的な負担を大きく減少させることができ、且つ空間活用度を向上させることができるシンク台取付型食器洗浄装置を提供することである。
【課題を解決するための手段】
【０００６】
上記目的を達成するためになされた本発明は、流し１０の底部に装着された排水筒体１５と、この排水筒体１２の上部に装着されて排水筒体１２を開閉するキャップ２０とを備える通常のシンク台において、前記排水筒体１２の外周面に着脱自在に結合され、内部に１次側コイル２５が収容されるハウジング３０と、前記キャップ２０の内部に気密収容され周縁面に２次側コイル３５が巻回されるコア４０と、前記キャップ２０の上側に装着され、キャップ２０の内部で２次側コイル３５と接続されて２次側コイル３５で発生する誘導起電流により作動する超音波振動子４５と、前記１次側コイル２５に接続され、別に設けられる操作パネル５０の入力信号に従って１次側コイル２５に電源を印加する制御部６０とを備えて構成される。また、既存のシンク台の排水筒体１５に１次側コイル２５を内蔵するハウジング３０を嵌め込んで結合し、既存のキャップを２次側コイル３５が巻回されるコア４０を内蔵するキャップ２０に入れ替える簡単な作業により、既存のシンク台に食器洗浄機能を付与することができることを特徴とするシンク台取付型食器洗浄装置を提供する。
【０００７】
また、上記目的を達成するためになされた本発明によれば、前記制御部６０と前記操作パネル２０には、それぞれＲＦ信号を送受信するＲＦモジュール６５、７０が備えられており、前記操作パネル２０から制御部６０に無線で信号を送信することによって、操作パネル２０の取付け位置を自由に選ぶことができる構造を有することを特徴とするシンク台取付型食器洗浄装置が提供される。
【発明を実施するための最良の形態】
【０００８】
次に、本発明の好適な実施の形態を図面を参照しながら説明する。
【０００９】
図１は、本発明のシンク台取付型食器洗浄装置の一実施形態を示す断面図であり、図２は、図１の排水筒体とハウジングとの結合関係を示す分解斜視図であり、図３は、本発明を概念的に示すブロック図であり、図４は、図３の実施形態の変形例を示すブロック図である。
【００１０】
図示するように、上記シンク台取付型食器洗浄装置は、排水筒体１２の外周面に１次側コイル２５を収容するハウジング３０が着脱自在に結合され、キャップ２０の内部に２次側コイル３５が巻回されたコア４０が気密に収容され、キャップ２０の上面にある超音波振動子４５は、２次側コイル３５に接続される。
【００１１】
また、本発明は、１次側コイル２５に電流を投入すると、２次側コイル３５で誘導起電流が発生して超音波振動子４５が作動し、これによって流し１０の内部で食器洗浄が行なわれることになる。
【００１２】
図１に示すように、既存のシンク台は、流し１０の底部には下水口と連結される排水筒体１５と、この排水筒体１５を開閉するキャップ２０と、流し１０の底部に形成されゴミを濾過するゴミ受けカゴ７１とを備えている。排水筒体１５の底部にはＵトラップ管が連結される第１排出口７３が備えられ、排水筒体１５の側方にはオーバーフロー管が連結される第２排出口７５が備えられる。このような排水筒体１５の外周面には、１次側コイル２５が収容されるハウジング３０が着脱自在に結合される。ハウジング３０は、１次側コイル２５を排水筒体１５外周面に着脱自在に結合するために使用するものであって、さらに１次側コイル２５を外部と絶縁させる役割も有する。
【００１３】
図２は、図１の排水筒体１５とハウジング３０との結合関係を示す図であり、ハウジング３０は、排水筒体１５の外周面に結合されるリング体に形成され、前記第２排出口７５に対応する位置にリング体の外側に突出した突出部７７を有する。ハウジング３０は、排水筒体１５でＵトラップ管とオーバーフロー管を分離した後、排水筒体１５の下方からハウジング３０を嵌め込んでから前記突出部７７を任意の角度で回転することによって簡単に組み立てることができる。このとき、ハウジング３５の一側で１次側コイル２５から延長する電線７９が制御部６０に接続される。
【００１４】
前記キャップ２０にはコア４０が内蔵され、２次側コイル３５はコア４０の外周面に巻回される。コア４０の設置空間を確保するために、キャップ２０は所定の長さ下向きに延長しており、コア４０を外部と絶縁させるために、キャップ２０の内部は気密に設計される。コア４０は高い透磁率を有するマンガンまたはニッケルからなり、コア４０の周縁面には、前記１次側コイル２５に電流が印加されるときに誘導起電流を発生させる２次側コイル３５が巻回される。この２次側コイル３５は、キャップ２０の上側に装着される超音波振動子４５に接続されて超音波振動子４５を作動させる。
【００１５】
図１の実施形態において、キャップ２０の上部には中央部が凹成形されて超音波振動子４５が安着する安着部８１が形成される。また、保護カバー８３は、超音波振動子４５の上面に結合される。保護カバー８３は、流し１０内の洗浄水に超音波を伝達するとともに、洗浄水と超音波振動器４５を絶縁させる。
【００１６】
図３及び図４は、本発明を概念的に示すブロック図であり、図示するように、シンク台内部には、別に設けられる操作パネル５０の入力信号に従って１次側コイル３０に電源５５を印加するための制御部６０が設置される。好ましくは、制御部６０は、流し１０の下側の戸棚８５内に収納されて隠され、操作パネル５０は図４の使用状態を示す斜視図のように、使用者が操作し易い位置に配置される。操作パネル５０には、オン／オフスイッチ８７、洗浄時間設定ボタン８９、ＬＣＤ９１を装着することができる。ＬＣＤ９１は、現在の洗浄作業の進行状態、予約状態、現在の時刻などを表示することができる。制御部６０は高周波を送信する。制御部６０はＭＩＣＯＭ及び多様な制御回路から構成される。そして、制御部６０は、洗浄時間設定及び予約等、様々な機能を有することができる。 制御部６０は、基本的に１次側コイル２５に電源を印加する機能があれば良く、その詳細な回路構成については製造者や設計者が多様に選択することができ、ここで詳しい回路構成に関する説明は省略する。
【００１７】
一方、図４に示すように、制御部６０と操作パネル５０には、それぞれＲＦモジュール６５、７０が備えられ、相互に無線で制御信号を送受信することも可能である。このとき、操作パネル５０の取付け位置は自由に選択可能であり、図５に示すように、流し１０の上部に使用者が操作し易い位置に操作パネル５０を配置する。また、操作パネル５０からシンク台内部までは電線を使用しないため美観に優れている。さらに、操作パネル５０は、特定位置に取り付けるタイプ以外に、使用者が携帯して利用することができるリモートユニットとして提供することもできる。
【００１８】
上記本発明のシンク台取付型食器洗浄装置によれば、排水筒体１５の外周面に１次側コイル２５を収容するハウジング３０を簡単に嵌め込んで結合し、既存のキャップを２次側コイル３５と超音波振動子４５が内蔵されるキャップ２０に入れ替える簡単な作業により、既存のシンク台に食器洗浄装置を取り付けることができる。このようにして、食器洗浄器を新たに購入したり、シンク台を入れ替ることによる経済的負担を大きく減少させるだけでなく、キッチン内の空間活用度を向上させるという長所がある。さらに、既存のシンク台を活用するという面で、資源の效率よく活用することができるという長所もある。
【００１９】
尚、本発明は、上述の実施形態に限られるものではない。本発明の技術的範囲から逸脱しない範囲内で多様に変更実施することが可能である。
【産業上の利用可能性】
【００２０】
本発明によれば、既存のシンク台に自由に着脱できるので、食器洗浄器を別に購入したり、新たな食器洗浄器に入れ替える必要がなく、費用を節減することができる。また、キッチンの空間をより広く使うことができるというメリットがある。
【図面の簡単な説明】
【００２１】
【図１】本発明のシンク台取付型食器洗浄装置の一実施形態を示す断面図。
【図２】図１の排水筒体とハウジングとの結合関係を示す分解斜視図。
【図３】本発明を概念的に示すブロック図。
【図４】図３の実施形態の変形例を示すブロック図。
【図５】図４の実施形態における操作パネルの設置例を示す斜視図。
【図１】
2007529264.tif 000003
【図２】
2007529264.tif 000004
【図３】
2007529264.tif 000005
【図４】
2007529264.tif 000006
【図５】
2007529264.tif 000007
【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
流し（１０）の底部に装着された排水筒体（１５）と;
この排水筒体（１５）の上部に装着されて排水筒体（１５）を開閉するキャップ（２０）と;
を備える通常のシンク台において、
前記排水筒体（１５）の外周面に着脱自在に結合され、内部に１次側コイル（２５）が収容されるハウジング（３０）と;
前記キャップ（２０）の内部に気密収容され、周縁面に２次側コイル（３５）が巻回されるコア（４０）と;
前記キャップ（２０）の上側に装着され、キャップ（２０）の内部で２次側コイル（３５）と接続されて２次側コイル（３５）で発生する誘導起電流によって作動する超音波振動子（４５）と;
前記１次側コイル（２５）に接続され、別に設けられる操作パネル（５０）の入力信号に従って１次側コイル（２５）に電源を印加する制御部（６０）と;
を備えて構成されており、
既存のシンク台の排水筒体（１５）に１次側コイル（２５）を内蔵するハウジング（３０）を嵌め込んで結合し、既存のキャップを２次側コイル（３５）が巻回されるコア（４０）を内蔵するキャップ（２０）に入れ替える簡単な作業により、既存のシンク台に食器洗浄機能を付与することができる
ことを特徴とするシンク台取付型食器洗浄装置。
【請求項２】
前記制御部（６０）と前記操作パネル（５０）には、それぞれＲＦ信号を送受信するＲＦモジュール（６５、７０）が備えられており、前記操作パネル（５０）から制御部（６０）に無線で信号を送信することによって、操作パネル（５０）の取付け位置を自由に選ぶことができる構造を有することを特徴とする請求項１に記載のシンク台取付型食器洗浄装置。
【手続補正２】
【補正対象書類名】明細書
【補正対象項目名】全文
【補正方法】変更
【補正の内容】
【発明の詳細な説明】
【技術分野】
【０００１】
本発明は、シンク台取付型食器洗浄装置に関し、より詳細には、既存のシンク台に簡単に取り付けて使用することができるシンク台取付型食器洗浄装置に関する。
【背景技術】
【０００２】
近年、貯水槽の底面に超音波振動子を装着し、超音波振動により貯水槽内部の洗浄水を振動させて食器を洗浄する食器洗浄器が開発された。このような超音波を利用する食器洗浄装置は、超音波振動子によって振動する水が食器を洗浄することになる。超音波振動を利用する食器洗浄器は、従来の洗浄水噴射方式の食器洗浄器に比べて異物除去効果が高いというメリットがあるものの、別の取付け空間を必要とし、且つ使用が不便であるという問題点があった。
【０００３】
このような食器洗浄器の問題点を解決するために、近来、シンク台の底部に超音波振動子を装着し、シンク台の一側に給排水パイプを備える食器洗浄器一体型シンク台が開発されている。このような食器洗浄器一体型シンク台は、食器洗浄器を設置するための別の空間が不要であるというメリットがあり、新築家屋で多く採用されている。
【０００４】
しかしながら、既存のシンク台を使用している家庭で上記食器洗浄器一体型シンク台を取り付けるためには、既存のシンク台を取り除いてから新たにシンク台を設置するといったシンク台入れ替え工事を行なわなければならない。これにより、シンク台を新たに購入する費用や、シンク台入れ替え工事を行なうことによる経済的負担が発生し、一般家庭にまで広く普及するには限界があった。また、故障していない既存のシンク台を取り除いて廃棄処理することは資源の無駄な浪費であるだけでなく、経済的な面でも非効率的であるという問題点がある。
【発明の開示】
【発明が解決しようとする課題】
【０００５】
そこで、本発明は上記従来の問題点に鑑みてなされたものであって、本発明の目的は、既存のシンク台に簡単に取り付けることができる構造を有しており、食器洗浄器を新たに購入したり、シンク台を入れ換えることによる経済的な負担を大きく減少させることができ、且つ空間活用度を向上させることができるシンク台取付型食器洗浄装置を提供することである。
【課題を解決するための手段】
【０００６】
上記目的を達成するためになされた本発明は、流し１０の底部に装着された排水筒体１５と、この排水筒体１５の上部に装着されて排水筒体１５を開閉するキャップ２０とを備える通常のシンク台において、前記排水筒体１５の外周面に着脱自在に結合され、内部に１次側コイル２５が収容されるハウジング３０と、前記キャップ２０の内部に気密収容され周縁面に２次側コイル３５が巻回されるコア４０と、前記キャップ２０の上側に装着され、キャップ２０の内部で２次側コイル３５と接続されて２次側コイル３５で発生する誘導起電流により作動する超音波振動子４５と、前記１次側コイル２５に接続され、別に設けられる操作パネル５０の入力信号に従って１次側コイル２５に電源を印加する制御部６０とを備えて構成される。また、既存のシンク台の排水筒体１５に１次側コイル２５を内蔵するハウジング３０を嵌め込んで結合し、既存のキャップを２次側コイル３５が巻回されるコア４０を内蔵するキャップ２０に入れ替える簡単な作業により、既存のシンク台に食器洗浄機能を付与することができることを特徴とするシンク台取付型食器洗浄装置を提供する。
【０００７】
また、上記目的を達成するためになされた本発明によれば、前記制御部６０と前記操作パネル５０には、それぞれＲＦ信号を送受信するＲＦモジュール６５、７０が備えられており、前記操作パネル５０から制御部６０に無線で信号を送信することによって、操作パネル５０の取付け位置を自由に選ぶことができる構造を有することを特徴とするシンク台取付型食器洗浄装置が提供される。
【発明を実施するための最良の形態】
【０００８】
次に、本発明の好適な実施の形態を図面を参照しながら説明する。
【０００９】
図１は、本発明のシンク台取付型食器洗浄装置の一実施形態を示す断面図であり、図２は、図１の排水筒体とハウジングとの結合関係を示す分解斜視図であり、図３は、本発明を概念的に示すブロック図であり、図４は、図３の実施形態の変形例を示すブロック図である。
【００１０】
図示するように、上記シンク台取付型食器洗浄装置は、排水筒体１５の外周面に１次側コイル２５を収容するハウジング３０が着脱自在に結合され、キャップ２０の内部に２次側コイル３５が巻回されたコア４０が気密に収容され、キャップ２０の上面にある超音波振動子４５は、２次側コイル３５に接続される。
【００１１】
また、本発明は、１次側コイル２５に電流を投入すると、２次側コイル３５で誘導起電流が発生して超音波振動子４５が作動し、これによって流し１０の内部で食器洗浄が行なわれることになる。
【００１２】
図１に示すように、既存のシンク台は;流し１０の底部には下水口と連結される排水筒体１５と、この排水筒体１５を開閉するキャップ２０と、流し１０の底部に形成されゴミを濾過するゴミ受けカゴ７１とを備えている。排水筒体１５の底部にはＵトラップ管が連結される第１排出口７３が備えられ、排水筒体１５の側方にはオーバーフロー管が連結される第２排出口７５が備えられる。このような排水筒体１５の外周面には、１次側コイル２５が収容されるハウジング３０が着脱自在に結合される。ハウジング３０は、１次側コイル２５を排水筒体１５外周面に着脱自在に結合するために使用するものであって、さらに１次側コイル２５を外部と絶縁させる役割も有する。
【００１３】
図２は、図１の排水筒体１５とハウジング３０との結合関係を示す図であり、ハウジング３０は、排水筒体１５の外周面に結合されるリング体に形成され、前記第２排出口７５に対応する位置にリング体の外側に突出した突出部７７を有する。ハウジング３０は、排水筒体１５でＵトラップ管とオーバーフロー管を分離した後、排水筒体１５の下方からハウジング３０を嵌め込んでから前記突出部７７を任意の角度で回転することによって簡単に組み立てることができる。このとき、ハウジング３５の一側で１次側コイル２５から延長する電線７９が制御部６０に接続される。
【００１４】
前記キャップ２０にはコア４０が内蔵され、２次側コイル３５はコア４０の外周面に巻回される。コア４０の設置空間を確保するために、キャップ２０は所定の長さ下向きに延長しており、コア４０を外部と絶縁させるために、キャップ２０の内部は気密に設計される。コア４０は高い透磁率を有するマンガンまたはニッケルからなり、コア４０の周縁面には、前記１次側コイル２５に電流が印加されるときに誘導起電流を発生させる２次側コイル３５が巻回される。この２次側コイル３５は、キャップ２０の上側に装着される超音波振動子４５に接続されて超音波振動子４５を作動させる。図１の実施形態において、キャップ２０の上部には中央部が凹成形されて超音波振動子４５が安着する安着部８１が形成される。また、保護カバー８３は、超音波振動子４５の上面に結合される。保護カバー８３は、流し１０内の洗浄水に超音波を伝達するとともに、洗浄水と超音波振動器４５を絶縁させる。
【００１５】
図３及び図４は、本発明を概念的に示すブロック図であり、図示するように、シンク台内部には、別に設けられる操作パネル５０の入力信号に従って１次側コイル３０に電源５５を印加するための制御部６０が設置される。好ましくは、制御部６０は、流し１０の下側の戸棚８５内に収納されて隠され、操作パネル５０は図４の使用状態を示す斜視図のように、使用者が操作し易い位置に配置される。操作パネル５０には、オン／オフスイッチ８７、洗浄時間設定ボタン８９、ＬＣＤ９１を装着することができる。ＬＣＤ９１は、現在の洗浄作業の進行状態、予約状態、現在の時刻などを表示することができる。制御部６０は高周波を送信する。制御部６０はＭＩＣＯＭ及び多様な制御回路から構成される。そして、制御部６０は、洗浄時間設定及び予約等、様々な機能を有することができる。制御部６０は、基本的に１次側コイル２５に電源を印加する機能があれば良く、その詳細な回路構成については製造者や設計者が多様に選択することができ、ここで詳しい回路構成に関する説明は省略する。
【００１６】
一方、図４に示すように、制御部６０と操作パネル５０には、それぞれＲＦモジュール６５、７０が備えられ、相互に無線で制御信号を送受信することも可能である。このとき、操作パネル５０の取付け位置は自由に選択可能であり、図５に示すように、流し１０の上部に使用者が操作し易い位置に操作パネル５０を配置する。また、操作パネル５０からシンク台内部までは電線を使用しないため美観に優れている。さらに、操作パネル５０は、特定位置に取り付けるタイプ以外に、使用者が携帯して利用することができるリモートユニットとして提供することもできる。
【００１７】
上記本発明のシンク台取付型食器洗浄装置によれば、排水筒体１５の外周面に１次側コイル２５を収容するハウジング３０を簡単に嵌め込んで結合し、既存のキャップを２次側コイル３５と超音波振動子４５が内蔵されるキャップ２０に入れ替える簡単な作業により、既存のシンク台に食器洗浄装置を取り付けることができる。このようにして、食器洗浄器を新たに購入したり、シンク台を入れ替ることによる経済的負担を大きく減少させるだけでなく、キッチン内の空間活用度を向上させるという長所がある。さらに、既存のシンク台を活用するという面で、資源の效率よく活用することができるという長所もある。
【００１８】
尚、本発明は、上述の実施形態に限られるものではない。本発明の技術的範囲から逸脱しない範囲内で多様に変更実施することが可能である。
【産業上の利用可能性】
【００１９】
本発明によれば、既存のシンク台に自由に着脱できるので、食器洗浄器を別に購入したり、新たな食器洗浄器に入れ替える必要がなく、費用を節減することができる。また、キッチンの空間をより広く使うことができるというメリットがある。
【図面の簡単な説明】
【００２０】
【図１】本発明のシンク台取付型食器洗浄装置の一実施形態を示す断面図。
【図２】図１の排水筒体とハウジングとの結合関係を示す分解斜視図。
【図３】本発明を概念的に示すブロック図。
【図４】図３の実施形態の変形例を示すブロック図。
【図５】図４の実施形態における操作パネルの設置例を示す斜視図。
【手続補正書】
【提出日】平成19年4月6日(2007.4.6)
【手続補正１】
【補正対象書類名】手続補正書
【補正対象項目名】手続補正３
【補正方法】削除
【補正の内容】
【国際調査報告】
2007529264.tif 000008